(57)【要約】【課題】包装体としての基本的機能を低下させることなく、また、底部フィルムの展開が容易であり、内容物の充填性能に優れた自立袋を提供することである。【解決手段】自立袋１０は、両側縁部が接合され表裏二面を形成する一対の壁面フィルム１１と、袋の上部側に向かって山折りに折り返されて両壁面フィルム１１の下部に挿入され、両壁面フィルム１１の下部に周縁部が接合された底部フィルム１２と、を有し、底部フィルム１２が熱収縮性を有する。底部フィルム１２は、熱収縮性フィルム層１５を備え、熱収縮性フィルム層１５は、底部フィルム１２の下面に設けられる。具体的には、熱収縮性フィルム層１５は、底部フィルム１２の袋底部１４の中央部であって、山折り部１３を含み、その両側の山裾方向に沿った部分に設けられている。【選択図】図１
2009196654.tif 000002
【特許請求の範囲】
【請求項１】
両側縁部が接合され表裏二面を形成する一対の壁面フィルムと、袋の上部側に向かって山折りに折り返されて両壁面フィルムの下部に挿入され、両壁面フィルムの下部に周縁部が接合された底部フィルムと、を有する自立袋において、
底部フィルムは、熱収縮性フィルム層を備えることを特徴とする自立袋。
【請求項２】
請求項１に記載の自立袋であって、
熱収縮性フィルム層は、底部フィルムの下面に設けられることを特徴とする自立袋。
【発明の詳細な説明】
【技術分野】
【０００１】
本発明は、自立袋に係り、特に食品等の包装体に好適である内容物の充填性に優れた自立袋に関する。
【背景技術】
【０００２】
自立袋とは、スタンディングパウチとも称され、袋の底部にまちを設けて自立性を付与した袋（パウチ）である。このまちは、底ガゼットと称され、袋の上部側に向かって山折りに折り返された山折り部を有する底部フィルムによって形成されている。自立袋は、この底ガゼットの機能により、内容物の充填前及び内容物の取り出し後は、容積が小さく嵩張らないため運搬コストが低減できるなどの効果を有し、内容物の充填後は、商品の陳列性やディスプレイ性に優れるなどの効果を有する袋である。
【０００３】
自立袋は、上記のように優れた特性を有するため、液体飲料、ゼリー飲料、練り製品及び医薬品など様々な商品の包装体として広く使用されている。これらの食品等を内容物とする場合には、内容物の腐敗変敗を防止するために、加熱殺菌された内容物が袋に充填されるのが一般的である。また、自立袋を構成するフィルムは、耐衝撃性や耐磨耗性だけでなく、耐熱性やガスバリア性などの物性も備えていることが要求される。
【０００４】
自立袋への内容物の充填方法としては、例えば、高速充填可能な自動充填装置を使用して袋の上部から内容物を充填する方法が採用されている。自立袋は、袋の上部から内容物が充填されると、袋の表裏面を形成する一対の壁面フィルムが離間することに伴って底部フィルムの山折り部が展開して自立性を発現するが、図６に示すように、底部フィルムの山折り部は、壁面フィルムに密着するなどしてうまく展開しない場合がある。なお、図６は内容物が充填された従来の自立袋の要部断面を示す模式図である。底部フィルムがうまく展開しなければ、内容物の充填量不足や充填量のバラツキが発生する。さらには、袋の自立性が不十分となり、倒れやすい、或いは自立しないといった問題も引き起こす。
【０００５】
このような状況に鑑みて、底部フィルムを開きやすくして内容物の充填性能を改良した自立袋が幾つか開発されている。例えば、特許文献1には、自立袋の底部フィルムが、少なくともポリアミド層とシーランと層として線状低密度ポリエリレン層とを含む共押出し成形による積層フィルムで形成されていることを特徴とする自立袋が開示されている。特許文献１によれば、底部フィルムは、剛性よりもむしろ柔軟性を有することが好ましいとされ、壁面フィルムと底部フィルムとは、異なった樹脂材料から構成されている。
【０００６】
【特許文献１】特開２００７−２４６１５７号公報
【発明の開示】
【発明が解決しようとする課題】
【０００７】
しかしながら、底部フィルムは、壁面フィルムと同様に、自立袋の外形を構成する部材であるため、耐磨耗性や耐熱性、ガスバリア性などの基本的性能が低下することは好ましくない。特許文献1の自立袋によれば、底部フィルムの柔軟性を高めると内容物の充填性能は良好になるが、耐磨耗性や耐熱性、ガスバリア性などの性能は低下することになる。一方、袋の基本的性能を維持しようとすれば、底部フィルムの剛性は高くなり、充填性能は低下する。従って、特許文献1の自立袋では、両方の性能を調整するに留まり、高度に両立することは原理的に困難である。
【０００８】
本発明の目的は、耐磨耗性や耐熱性、ガスバリア性といった包装体としての基本的性能を低下させることなく、また、底部フィルムの展開が容易であり、内容物の充填性能に優れた自立袋を提供することである。
【課題を解決するための手段】
【０００９】
本発明に係る自立袋は、両側縁部が接合され表裏二面を形成する一対の壁面フィルムと、袋の上部側に向かって山折りに折り返されて両壁面フィルムの下部に挿入され、両壁面フィルムの下部に周縁部が接合された底部フィルムと、を有する自立袋において、底部フィルムは、熱収縮性フィルム層を備えることを特徴とする。
【００１０】
また、熱収縮性フィルム層は、底部フィルムの下面に設けられることが好ましい。
【発明の効果】
【００１１】
本発明に係る自立袋によれば、底部フィルムは熱収縮性を有するので、加熱殺菌された内容物が充填された際に、その内容物の熱によって底部フィルムが加熱されて収縮することにより底部フィルムの展開が容易になる。本発明に係る自立袋は、底部フィルムの山折り部が、内容物を充填することにより広がって自立するものであるが、底部フィルムの熱収縮機能によって、底部フィルムの山折り部の広がりが補填される。底部フィルムが収縮することにより、底部フィルムの山折り部は、袋の下部方向、即ち底部フィルムが展開する方向に向かう力を受けることになる。
【００１２】
本発明に係る自立袋は、底部フィルムを開きやすくして内容物の充填性能を改良した従来の自立袋とは全く異なった底部フィルムの展開機構を採用している。従って、耐磨耗性や耐熱性、ガスバリア性といった包装体としての基本的性能を低下させることなく、また、底部フィルムの展開が容易であり、内容物の充填性能に優れた自立袋となる。
【００１３】
請求項２に記載した発明においては、熱収縮性フィルム層が底部フィルムの下面に設けられるので、さらに底部フィルムの展開が容易になる。例えば、熱収縮性フィルム層を底面フィルムの上面に設ける場合よりも、層間剥離等による内容物への影響などを考慮しなくてもよいので、熱収縮性フィルム層の熱収縮率をさらに高く設定することが可能となる。従って、底部フィルムの山折り部は、袋の下部方向に向かう力を受け易くなり、さらに底部フィルムの展開が容易になる。
【発明を実施するための最良の形態】
【００１４】
以下に図面を用いて本発明に係る実施の形態につき、詳細に説明する。図１は、熱収縮性フィルム層が底部フィルムの下面に設けられた自立袋の平面図である。図２は、図1の自立袋において内容物が充填された状態を示す図である。図３は、図1の要部断面を示す模式図である。図４は、図３において底部フィルムとして最下層に熱収縮性フィルム層を有する積層フィルムを適用した様子を示す模式図である。
【００１５】
自立袋１０は、上述のように、スタンディングパウチとも称され、袋の底部に底ガゼットと呼ばれるまちを設けて、内容物が充填されると自立するようにした袋（パウチ）である。図１及び図３に示すように、自立袋１０は、表裏面を構成する一対の壁面フィルム１１の下部に、袋内部に向かって山折りに折り返されて挿入された底部フィルム１２を備えた構造から構成されている。底部フィルム１２が、袋の底面を構成し、底ガゼットと呼ばれるまちの機能を果たす部材である。
【００１６】
図３に示すように、自立袋１０は、底部フィルム１２が袋内部に向かって山折りに折り返されているので、内容物が充填される前は圧縮された状態である。一方、内容物が充填されると、底部フィルム１２が展開することにより自立する。従って、自立袋１０は、内容物の充填前及び内容物の取り出し後は容積が小さく嵩張らないため運搬コストの低減等の効果を有し、内容物の充填後は商品の陳列性やディスプレイ性に優れる等の効果を有する袋である。
【００１７】
図１及び図２に示すように、自立袋１０には、スパウト１６が装着されている。スパウト１６は、自立袋１０の内部と外部とを連通して設けられる。スパウト１６は、円柱状の胴体部と、その内部に貫通孔を有する形状であり、内容物がこの貫通孔を通って取り出される。また、後述するように、スパウト１６を通して内容物が充填される。以下では、自立袋１０はスパウト１６を有し、内容物はスパウト１６を通して充填されるものとして説明するが、自立袋１０はこれに限定されるものではなく、スパウト１６を装着しない袋であってもよい。
【００１８】
壁面フィルム１１は、自立袋１０の表裏面を構成するフィルムである。図１に示すように、袋面は、自立袋１０の胴体部であって、二枚の壁面フィルム１１によって自立袋１０の表裏二面の袋面が形成されている。壁面フィルム１１は、一枚のフィルムを折り返して構成することもできるが、生産性向上等の観点から二枚のフィルムから構成されることが好ましい。
【００１９】
対向して設けられる二枚の壁面フィルム１１は、上部及び両側縁部が一体接合されている。上部の接合部には、上記のように、スパウト１６が装着されている。両側縁部は、自立袋１０の上端から下端まで接合されている。ここで、フィルムの接合方法としては、特に限定されないが、生産性の向上や環境負荷の低減等の観点から、ヒートシールにより行われることが好ましい。
【００２０】
自立袋１０の胴体部を構成する壁面フィルム１１は、自立性は勿論、耐衝撃性、耐磨耗性、耐熱性及びガスバリア性など、包装体としての基本的な性能を備えることが要求されるために、剛性や形状保持性に優れた材料から構成されることが好ましい。従って、壁面フィルム１１を構成するフィルムとしては、単層のフィルムを使用することもできるが、積層フィルムを使用することが好ましい。一般的に、積層フィルムは、ベースフィルム層とシーラント層を備えており、ベースフィルム層が外部側に設けられている。
【００２１】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）など）、ポリオレフィン（ポリエチレン（ＰＥ）、ポリプロピレン（ＰＰ）など）、ポリアミド（ナイロン−６、ナイロン−６６など）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）及びエチレン−ビニルアルコール共重合体（ＥＶＯＨ）等から構成される一層又は二層以上の延伸又未延伸フィルムを使用することができる。
【００２２】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、エチレン−αオレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上のフィルムを使用することができる。
【００２３】
ベースフィルム層及びシーラント層を構成するフィルムの積層する方法としては、ドライラミネーション方法やホットメルトラミネーション方法などの公知のラミネート方法を使用することができる。また、積層フィルムは、上記の樹脂材料を使用して共押出しすることによっても作製することができる。
【００２４】
内容物が食品等である場合には、壁面フィルム１１を構成するフィルムは、ガスバリア性を有することが好ましい。従って、フィルムのガスバリア性を高めるために、アルミニウム等の金属薄膜、又はポリ塩化ビニリデン（ＰＶＤＣ）、エチレン−ビニルアルコール共重合体（ＥＶＯＨ）などの樹脂フィルム、或いは任意の合成樹脂フィルムに酸化アルミニウムやシリカなどの無機酸化物を蒸着した透明蒸着フィルムなどを設けることもできる。このガスバリア層は、例えば、ベースフィルム層とシーラント層との間に設けることができる。また、必要に応じて、ガスバリア層とベースフィルム層との間等に接着剤層を設けることもできる。
【００２５】
壁面フィルム１１は、その表面、即ち自立袋１０の表裏二面に、商品名や商品イメージ或いは商品の品質を表す図示しないデザイン等の印刷層を設けることができる。具体的には、例えば、壁面フィルム１１を構成する積層フィルムのベースフィルム層のうち、最外層の裏面に設けられる。
【００２６】
底部フィルム１２は、自立袋１０の底部を構成するフィルムである。図３等に示すように、底部フィルム１２は、袋の上部側に向かって山折りに折り返されて挿入され壁面フィルム１１の下部に周縁部が一体接合されている。従って、自立袋１０は、上述のように、内容物が充填される前は圧縮された状態であり、内容物が充填されると、底部フィルム１２が展開することにより自立することが可能となる。即ち、底部フィルム１２は、単に自立袋１０の底面を構成する機能だけでなく、内容物の充填の前後で、その形状を変化させて袋自体の形状を変化させる機能を有する。
【００２７】
図１及び図３に示すように、底部フィルム１２は、山折りに折り返された山折り部１３を有し、さらに、両壁面フィルム１１の下部に、船底形状のパターンでヒートシール部が形成されている。図１に示す底部フィルム１２が山折りに折り返された状態において、底部フィルム１２のヒートシール部を除く部分は、弓形状を呈している。この弓形状の部分が袋底部１４であり、展開されると図２に示すように舟底形状となり、自立袋１０の底面を構成する。上述のように、壁面フィルム１１の剛性や形状保持性に優れた積層フィルムから構成されているが、底部フィルム１２と両壁面フィルム１１との接合部は特に剛性が高くなっている。剛性の高いこの接合部を脚とすることで、自立袋１０は安定した自立性を得ることができる。なお、自立袋１０は弓形状の袋底部１４を有するものとして説明するが、袋底部１４の形状としては、これに限定されず公知の形状を適用することができる。
【００２８】
底部フィルム１２を構成するフィルムは、壁面フィルム１１と同様に、自立性は勿論、耐衝撃性、耐磨耗性、耐熱性及びガスバリア性など、包装体としての基本的な性能を備えることが要求されるために、剛性や形状保持性に優れた材料から構成されることが好ましい。従って、底部フィルム１２を構成するフィルムとしては、壁面フィルム１１と同種の積層フィルムを使用することが好ましい。
【００２９】
また、底部フィルム１２は、熱収縮性フィルムを備えている。この底部フィルムの熱収縮機能によって、内容物の充填に伴う底部フィルム１２の山折り部１３の広がりが補填されることになる。熱収縮性を有する底部フィルム１２の形態としては、底部フィルム１２が熱収縮性フィルムである場合、底部フィルム１２が積層フィルムから構成され積層フィルム中の少なくとも一つのフィルム層が熱収縮性フィルム層１５である場合或いは底部フィルム１２を構成するフィルムの上面又は下面にその構成フィルムから独立した熱収縮性フィルム層１５が貼り付けられる場合などが挙げられる。例えば、図１及び図３に示すように、底部フィルム１２は、袋底部１４の中央部であって、山折り部１３を含み、その両側の山裾方向に沿って熱収縮性フィルム層１５を設けることができる。この熱収縮性フィルム層１５は、熱収縮に伴って発生する力により底部フィルム１２の展開を容易にする機能を有する。ここで、山折り部１３を含み、その両側の山裾方向とは袋の下部方向を意味し、熱収縮に伴って発生する力は、底部フィルム１２の山折り部１３及び山折り部１３の両側に加わることになる。なお、後述するように、熱収縮に伴って発生する力は、袋の下部方向、即ち底部フィルム１２が展開する方向に向かって作用する。
【００３０】
上述する熱収縮性を有する底部フィルム１２の形態のうち好ましい形態としては、底部フィルム１２が熱収縮性フィルム層１５を有する形態であり、さらに好ましくは、その熱収縮性フィルム層１５が底部フィルム１２の下面に設けられる場合である。熱収縮性フィルム層１５を底部フィルム１２の下面に設ける方法としては、上記のように、積層フィルムのフィルム層としてラミネートする方法、或いは底部フィルム１２から独立したフィルム層として熱収縮性フィルム層を貼り付ける方法が挙げられる。前者の方法を適用した自立袋１０は、図４に示すように、底面フィルム１２の全面積に亘って熱収縮性フィルム層１５が存在する。なお、後者の方法により熱収縮性フィルム層１５を設ける場合、熱収縮性フィルム層１５は、接着剤や粘着剤を使用して貼り付けることができる。熱収縮性フィルム層１５を、底部フィルム１２を構成する積層フィルムの層として設ける場合には、他のフィルム層との層間強度が低下しないように、層間の接合力や熱収縮率の差等を十分に考慮して熱収縮率を設定する必要がある。一方、底部フィルム１２から独立して底部フィルム１２の下面に設ける場合には、層間強度が低下したとしても、自立袋１０の構造強度への影響等がなく、熱収縮率をより高く設定することが可能となる。従って、底部フィルム１２の山折り部１３等は、熱収縮性フィルム層１５の収縮に伴って発生する力を受け易くなり、さらに底部フィルム１２の展開が容易になる。
【００３１】
熱収縮性フィルム層１５は、底部フィルム１２の展開性をさらに容易にするために、底部フィルム１２の袋底部１４に広い面積に亘って設けられることが好ましい。特に、山折り部１３を多く含んで設けられることが好ましい。熱収縮性フィルム層１５が設けられる面積としては、袋底部１４の３０％以上１００％以下であることが好ましく、更に好ましくは５０％以上９０％以下である。熱収縮性フィルム層１５の面積がこの範囲内であると、自立袋１０の生産が容易であり、底部フィルム１２の展開が良好なものとなる。
【００３２】
熱収縮性フィルム層１５を構成する樹脂としては、ポリエステル樹脂（ポリエチレンテレフタレートなど）、ポリオレフィン樹脂（ポリエチレン、ポリプロピレンなど）、ポリスチレン、ポリ塩化ビニル及びこれらの共重合体（スチレン-ブタジエン共重合体）等を使用することができる。
【００３３】
良好な熱収縮性を発現するために、熱収縮性フィルム層１５は延伸されることが好ましい。熱収縮性フィルム層１５は、図１及び図３に示す底部フィルム１２が折り返された状態において、山折り部１３から山裾に沿った方向に対する熱収縮率、即ち袋の上下方向に対する熱収縮率が、山折り部１３に沿った方向、即ち袋の左右方向に対する熱収縮率よりも高いことが好ましく、延伸倍率としては、袋の上下部方向に対して２〜６倍程度、袋の左右方向に対して１．０１〜２倍程度であることが好ましい。延伸倍率がこの範囲内であると、袋の下部方向、即ち、底部フィルム１２の展開する方向に対する熱収縮率が大きくなり、底部フィルム１２の展開が良好になる。
【００３４】
熱収縮性フィルム層１５は、後述する図５（ａ）に示すように、加熱殺菌された内容物が充填されることにより加熱されて収縮する。加熱殺菌された内容物は、９０度程度の温度を持ってスパウト１６から自立袋１０に充填される。この時、まず底部フィルム１２が加熱され、その温度が下面に設けられた熱収縮性フィルム層１５に伝わり、熱収縮性フィルム層１５が加熱されることになる。
【００３５】
自立袋１０は、例えば次のプロセスによって製造される。まず、二枚の壁面フィルム１１の両側縁部がヒートシールされた一対の壁面フィルム１１を用意し、その上部にスパウト１６の一端を挿入して、スパウト１６の胴体部と一対の壁面フィルム１１の上部とをヒートシールする。次に、山折りに折り返された底部フィルム１２をスパウト１６が装着された二枚の壁面フィルム１１の下部に挿入して、底部フィルム１２の周縁部を両壁面フィルム１１とヒートシールする。熱収縮性フィルム層１５が底部フィルム１２から独立したフィルム層の場合、熱収縮性フィルム層１５は、底部フィルム１２の下面に接着剤又は粘着剤を塗布して貼り付けられる。熱収縮性フィルム層１５の貼り付けは、生産性向上の観点等から、底部フィルム１２が山折りされる前に行われることが好ましい。以上により、図１に示す自立袋１０が製造できる。
【００３６】
上記構成の自立袋１０の作用について、さらに図５を加えて以下詳細に説明する。図５は、図３において内容物が充填される際の袋底部が展開する様子を示す図であり、（ａ）は内容物の充填途中の状態を示し、（ｂ）は内容物が完全に充填された後の状態を示す図である。
【００３７】
自立袋１０は、底部フィルム１２が、内容物を充填することにより広がって、袋は自立することが可能になる。具体的には、内容物が充填されるとまず二枚の壁面フィルム１１が離間する。次に、その離間に伴って底部フィルム１２の山折り部１３が展開する。なお、壁面フィルム１１の離間方向は、壁面フィルム１１によって形成される表裏面方向である。
【００３８】
底部フィルム１２は、壁面フィルム１１と同様に、自立性は勿論、耐衝撃性、耐磨耗性、耐熱性及びガスバリア性など、包装体としての基本的な性能備えることが要求されるために、剛性や形状保持性に優れた材料から構成されている。自立袋１０への内容物の充填は、上記のようにスパウト１６を通して行われるが、図６に示すように、底部フィルム１２の山折り部１３は、壁面フィルム１２に密着するなどしてうまく展開しない場合がある。山折り部１３がうまく展開しなければ、内容物の充填量不足や充填量のバラツキが発生する。さらには、袋の自立性が不十分となり、倒れやすい、或いは自立しないといった問題も引き起こすことになる。
【００３９】
スパウト１６を通して充填される内容物が食品等である場合は、加熱殺菌されて充填されるのが一般的である。加熱殺菌された内容物は、９０度程度の温度を持ってスパウト１６から自立袋１０に充填される。従って、自立袋１０は、内容物の充填によって加熱される。図５に示すように、熱収縮性フィルム層１５は、底部フィルム１２を構成するフィルム層から独立したフィルム層として底部フィルム１２の下面に貼り付けられている。従って、まず初めに、底部フィルム１２が加熱され、その温度が下面に設けられた熱収縮性フィルム層１５に伝わり、熱収縮性フィルム層１５が加熱されることになる。
【００４０】
自立袋１０は、上述のように、底部フィルム１２の山折り部１３が、内容物を充填することにより広がって自立するものであるが、熱収縮性フィルム層１５は、内容物が充填される際に、底部フィルム１２の山折り部１３の広がりを補填する機能を有する。即ち、熱収縮性フィルム層１５が内容物の充填により加熱されて収縮することにより、それが設けられる底部フィルム１２の山折り部１３は、袋の下部方向、即ち、底部フィルム１２が展開する方向に向かう力を受けることになる。熱収縮性フィルム層１５は、図１及び図３に示す底部フィルム１２が折り返された状態において、袋の上下方向に対する熱収縮率が、袋の左右方向に対する熱収縮率よりも高くなるように底部フィルム１２の下面に貼り付けられている。従って、袋の上下方向に対する熱収縮量は大きく、袋の下部方向に向かって作用する力は大きくなる。なお、図５（ｂ）に示すように、自立袋１０は、剛性の高い底部フィルム１２と両壁面フィルム１１との接合部を脚として自立することで、自立袋１０は安定した自立性を得ることができる。
【００４１】
熱収縮性フィルム層１５が設けられる部分は、底部フィルム１２の袋底部１４の中央部であって、山折り部１３を含み、その両側の山裾方向に沿った部分であるので、熱収縮性フィルム層１５の収縮により発生する袋の下部方向に向かう力は、底部フィルム１２の山折り部１３を含んでその両側に加わることになる。故に、底部フィルム１２の山折り部１３は、壁面フィルム１１に密着することなく容易に展開される。
【００４２】
底部フィルム１２が展開を補填する機能は、熱収縮性フィルム層１５の収縮により発生する袋の下部方向に向かう力により発現される。この力は、図５（ａ）に示すように、Ｖ字型に折り返された底部フィルム１２の袋底部１４をＵ字型に変形させる。そして、袋底部１４の断面形状がＵ字型になると、内容物の充填による重みが袋底部１４全体に均等に掛かり易くなり、図５（ｂ）に示すように、底部フィルム１２の山折り部１３は、壁面フィルム１１に密着することなく展開できるのである。
【００４３】
自立袋１０は、従来の底部フィルムを開きやすくして内容物の充填性能を改良した自立袋とは全く異なる底部フィルム１２の展開機構を採用している。従って、耐磨耗性や耐熱性、ガスバリア性といった包装体としての基本的性能を低下させることなく、また、底部フィルム１２の展開が容易であり、内容物の充填性能に優れた自立袋１０となる。
【図面の簡単な説明】
【００４４】
【図１】本発明に係る実施の形態における熱収縮性フィルム層が底部フィルムの下面に設けられた自立袋の平面図である。
【図２】図１の自立袋において内容物が充填され上縁部が接合された状態を示す図である。
【図３】図１の要部断面を示す模式図である。
【図４】図３において底部フィルムとして最下層に熱収縮性フィルム層を有する積層フィルムを適用した様子を示す模式図である。
【図５】図３において内容物が充填される際の袋底部が展開する様子を示す図であり、（ａ）は内容物の充填途中の状態を示し、（ｂ）は内容物が完全に充填された後の状態を示す図である。
【図６】内容物が充填された従来の自立袋の要部断面を示す模式図である。
【符号の説明】
【００４５】
１０  自立袋、１１  壁面フィルム、１２  底部フィルム、１３  山折り部、１４  袋底部、１５  熱収縮性フィルム層、１６  スパウト。
【図１】
2009196654.tif 000003
【図２】
2009196654.tif 000004
【図３】
2009196654.tif 000005
【図４】
2009196654.tif 000006
【図５】
2009196654.tif 000007
【図６】
2009196654.tif 000008